(57)【要約】【課題】  ヨークのレンズ鏡筒への取付状態におけるガタツキの防止及びレンズ鏡筒の製造の容易化等を図る。【解決手段】  レンズ鏡筒１０の内部において光軸方向へ移動可能とされたレンズ保持枠３９と、該レンズ保持枠に保持された可動レンズ４３と、光軸方向における一方からレンズ鏡筒に挿入され嵌合状態で取り付けられるヨーク４６と、該ヨークに取り付けられたマグネット４７と、レンズ保持枠に取り付けられて少なくとも一部がマグネットに対向して位置される駆動コイル４４とを設け、光軸方向及びヨークの厚み方向に直交する方向に離隔してヨークを嵌合する一対の第１の嵌合部２１、２２をレンズ鏡筒に設け、該第１の嵌合部よりヨークのレンズ鏡筒に対する挿入方向側に、上記光軸方向及びヨークの厚み方向に直交する方向に離隔してヨークを嵌合する一対の第２の嵌合部２３、２４をレンズ鏡筒に設け、第１の嵌合部間の間隔を第２の嵌合部間の間隔より大きくし、光軸から各第１の嵌合部までの距離を光軸から各第２の嵌合部までの距離より大きくした。【選択図】図４
2006208569.tif 000002
【特許請求の範囲】
【請求項１】
レンズ鏡筒と、
該レンズ鏡筒の内部において光軸方向へ移動可能とされたレンズ保持枠と、
該レンズ保持枠に保持された可動レンズと、
光軸方向における一方からレンズ鏡筒に挿入され該レンズ鏡筒に嵌合状態で取り付けられるヨークと、
該ヨークに取り付けられたマグネットと、
上記レンズ保持枠に取り付けられて少なくとも一部がマグネットに対向して位置されると共に供給される駆動電流の方向に応じた方向への推進力をレンズ保持枠に付与する駆動コイルとを備え、
上記光軸方向及びヨークの厚み方向に直交する方向に離隔してヨークを嵌合する一対の第１の嵌合部をレンズ鏡筒に設け、
該第１の嵌合部よりヨークのレンズ鏡筒に対する挿入方向側に、上記光軸方向及びヨークの厚み方向に直交する方向に離隔してヨークを嵌合する一対の第２の嵌合部をレンズ鏡筒に設け、
第１の嵌合部間の間隔を第２の嵌合部間の間隔より大きくし、
上記光軸から各第１の嵌合部までの距離を上記光軸から各第２の嵌合部までの距離より大きくした
ことを特徴とする撮像装置。
【請求項２】
上記レンズ鏡筒の第１の嵌合部と第２の嵌合部との間に、第１の嵌合部間の間隔を第２の嵌合部間の間隔より大きくする段差面を形成した
ことを特徴とする請求項１に記載の撮像装置。
【請求項３】
上記ヨークの上記挿入方向と反対側の端部に、上記厚み方向及び挿入方向にともに直交する方向へ突出された嵌合突部を設けた
ことを特徴とする請求項２に記載の撮像装置。
【請求項４】
上記可動レンズとしてズーミング用の変倍レンズを用いた
ことを特徴とする請求項１に記載の撮像装置。
【請求項５】
マグネットが取り付けられたヨークが光軸方向における一方から挿入されて嵌合状態で取り付けられると共に内部において可動レンズを保持するレンズ保持枠が光軸方向へ移動可能とされたレンズ鏡筒であって、
上記光軸方向及びヨークの厚み方向に直交する方向に離隔してヨークを嵌合する一対の第１の嵌合部をレンズ鏡筒に設け、
該第１の嵌合部よりヨークのレンズ鏡筒に対する挿入方向側に、上記光軸方向及びヨークの厚み方向に直交する方向に離隔してヨークを嵌合する一対の第２の嵌合部をレンズ鏡筒に設け、
第１の嵌合部間の間隔を第２の嵌合部間の間隔より大きくし、
上記光軸から各第１の嵌合部までの距離を上記光軸から各第２の嵌合部までの距離より大きくした
ことを特徴とするレンズ鏡筒。
【請求項６】
上記第１の嵌合部と第２の嵌合部との間に、第１の嵌合部間の間隔を第２の嵌合部間の間隔より大きくする段差面を形成した
ことを特徴とする請求項５に記載のレンズ鏡筒。
【請求項７】
内部においてズーミング用のレンズとして用いられた上記可動レンズが光軸方向へ移動可能とされた
ことを特徴とする請求項５に記載のレンズ鏡筒。
【発明の詳細な説明】
【技術分野】
【０００１】
本発明は撮像装置及びレンズ鏡筒についての技術分野に関する。詳しくは、ヨークを嵌合状態で取り付ける嵌合部の形成位置を工夫して、ヨークのレンズ鏡筒への取付状態におけるガタツキの防止及びレンズ鏡筒の製造の容易化等を図る技術分野に関する。
【背景技術】
【０００２】
スチルカメラやビデオカメラ等の撮像装置には、レンズ鏡筒内にズーミング用又はフォーカシング用の可動レンズを有し、該可動レンズが光軸方向へ移動可能とされたレンズ保持枠に保持されているものがある。
【０００３】
このような撮像装置にあっては、レンズ保持枠を光軸方向へ移動させるための移動機構が設けられている（例えば、特許文献１参照）。
【０００４】
移動機構はレンズ鏡筒の内部に配置され、例えば、レンズ鏡筒に取り付けられたヨークと該ヨークに取り付けられたマグネットとレンズ保持枠に取り付けられ少なくとも一部がマグネットに対向して位置された駆動コイルとを備えている。ヨークは駆動コイルに挿入された状態で配置され、ヨークはレンズ保持枠の光軸方向への移動範囲に対応して光軸方向に長く形成されている。
【０００５】
このような移動機構において、駆動コイルに駆動電流が供給されると、供給された電流の方向とマグネットの磁極との関係において通電方向に応じた推進力がレンズ保持枠に付与され、該レンズ保持枠の移動に伴って可動レンズが光軸方向へ移動される。
【０００６】
【特許文献１】特開２０００−１４７３５０号公報
【発明の開示】
【発明が解決しようとする課題】
【０００７】
ところで、上記のような移動機構を備えた撮像装置にあっては、ヨークを、レンズ鏡筒に光軸方向における一端に形成された挿入用開口から内部空間に挿入し、レンズ鏡筒の内部にヨークを嵌合状態で取り付けるようにしたものがある。
【０００８】
また、このような撮像装置のレンズ鏡筒は、射出成形によって形成され、樹脂の射出冷却後に金型を一方向に引き抜いて離型することにより、レンズ鏡筒に内部空間及び挿入用開口が形成される。
【０００９】
従来のレンズ鏡筒にあっては、ヨークの長手方向及び厚み方向にともに直交する方向に離隔して一対の嵌合部を設け、該一対の嵌合部にそれぞれヨークの所定の部分を嵌合することにより該ヨークを嵌合状態で取り付けるようにしている。
【００１０】
ところが、一対の嵌合部に嵌合させてヨークを取り付けるようにした場合には、ヨークの長さが長くなると嵌合状態においてヨークのレンズ鏡筒に対するガタツキが発生し易くなり、レンズ保持枠の移動に支障を来たすという問題がある。特に、可動レンズをズーミング用のレンズとして用いた場合には、一般に、可動レンズをフォーカシング用のレンズとして用いた場合に比して光軸方向における移動距離が長くなり、その分、ヨークを長くすることが必要となりガタツキの発生量が大きくなってしまう。
【００１１】
また、ヨークのガタツキが発生し易い状態であると、耐衝撃性も低く、例えば、撮像装置に対する衝撃の大きさによっては、ヨークのレンズ鏡筒からの脱落やガタツキによるノイズの発生という不具合を生じるおそれもある。
【００１２】
そこで、長いヨークの取付方法として、上記した特開２０００−１４７３５０号公報のように、レンズ鏡筒の光軸方向と直交する方向に開口された切欠孔を形成し、該切欠孔からヨークを挿入して固定保持する構造がある。
【００１３】
しかしながら、レンズ鏡筒に形成した切欠孔からヨークを挿入して固定保持する構造にあっては、レンズ鏡筒に挿入用開口の他、切欠孔も形成されるため、レンズ鏡筒の開口面積が大きくなり、レンズ鏡筒の内部に塵埃が侵入し易くなるという不都合が生じる。
【００１４】
また、特開２００４−１２７４５号公報のように、２つの鏡筒によってヨークの長手方向における２カ所で固定保持する構造もある。
【００１５】
しかしながら、２つの鏡筒によってヨークを保持する場合に、良好な光学性能の確保の観点から一方の鏡筒を他方の鏡筒に対して移動させてチルト調心を行うタイプにおいて、チルト動作が阻害されてしまうという問題がある。
【００１６】
一方、レンズ鏡筒を上記のように金型を一方向に引き抜いて離型して形成する場合には、離型性の向上を図ることも必要である。
【００１７】
そこで、本発明は、上記した問題点を克服し、ヨークのレンズ鏡筒への取付状態におけるガタツキの防止及びレンズ鏡筒の製造の容易化等を図ることを課題とする。
【課題を解決するための手段】
【００１８】
本発明撮像装置は、上記した課題を解決するために、レンズ鏡筒と、該レンズ鏡筒の内部において光軸方向へ移動可能とされたレンズ保持枠と、該レンズ保持枠に保持された可動レンズと、光軸方向における一方からレンズ鏡筒に挿入され該レンズ鏡筒に嵌合状態で取り付けられるヨークと、該ヨークに取り付けられたマグネットと、上記レンズ保持枠に取り付けられて少なくとも一部がマグネットに対向して位置されると共に供給される駆動電流の方向に応じた方向への推進力をレンズ保持枠に付与する駆動コイルとを設け、上記光軸方向及びヨークの厚み方向に直交する方向に離隔してヨークを嵌合する一対の第１の嵌合部をレンズ鏡筒に設け、該第１の嵌合部よりヨークのレンズ鏡筒に対する挿入方向側に、上記光軸方向及びヨークの厚み方向に直交する方向に離隔してヨークを嵌合する一対の第２の嵌合部をレンズ鏡筒に設け、第１の嵌合部間の間隔を第２の嵌合部間の間隔より大きくし、上記光軸から各第１の嵌合部までの距離を上記光軸から各第２の嵌合部までの距離より大きくしたものである。
【００１９】
本発明レンズ鏡筒は、上記した課題を解決するために、光軸方向及びヨークの厚み方向に直交する方向に離隔してヨークを嵌合する一対の第１の嵌合部をレンズ鏡筒に設け、該第１の嵌合部よりヨークのレンズ鏡筒に対する挿入方向側に、上記光軸方向及びヨークの厚み方向に直交する方向に離隔してヨークを嵌合する一対の第２の嵌合部をレンズ鏡筒に設け、第１の嵌合部間の間隔を第２の嵌合部間の間隔より大きくし、上記光軸から各第１の嵌合部までの距離を上記光軸から各第２の嵌合部までの距離より大きくしたものである。
【００２０】
従って、本発明撮像装置及びレンズ鏡筒にあっては、光軸方向に離隔して設けられた一対の第１の嵌合部と一対の第２の嵌合部とによってヨークが嵌合状態でレンズ鏡筒に取り付けられる。
【発明の効果】
【００２１】
本発明撮像装置は、レンズ鏡筒と、該レンズ鏡筒の内部において光軸方向へ移動可能とされたレンズ保持枠と、該レンズ保持枠に保持された可動レンズと、光軸方向における一方からレンズ鏡筒に挿入され該レンズ鏡筒に嵌合状態で取り付けられるヨークと、該ヨークに取り付けられたマグネットと、上記レンズ保持枠に取り付けられて少なくとも一部がマグネットに対向して位置されると共に供給される駆動電流の方向に応じた方向への推進力をレンズ保持枠に付与する駆動コイルとを備え、上記光軸方向及びヨークの厚み方向に直交する方向に離隔してヨークを嵌合する一対の第１の嵌合部をレンズ鏡筒に設け、該第１の嵌合部よりヨークのレンズ鏡筒に対する挿入方向側に、上記光軸方向及びヨークの厚み方向に直交する方向に離隔してヨークを嵌合する一対の第２の嵌合部をレンズ鏡筒に設け、第１の嵌合部間の間隔を第２の嵌合部間の間隔より大きくし、上記光軸から各第１の嵌合部までの距離を上記光軸から各第２の嵌合部までの距離より大きくしたことを特徴とする。
【００２２】
従って、ヨークが挿入方向に離隔した部分である第１の嵌合部と第２の嵌合部とによって嵌合状態でレンズ鏡筒の内部に取り付けられるため、取付状態においてヨークのレンズ鏡筒に対するガタツキを防止することができ、高い耐衝撃性を確保することができる。
【００２３】
また、ヨークが一部品であるレンズ鏡筒のみによって保持されるため、レンズの光軸に対するチルト調整を阻害することがない。
【００２４】
さらに、ヨークがレンズ鏡筒に一方から挿入されてレンズ鏡筒の内部に取り付けられるため、ヨークを取り付けるための専用の開口部をレンズ鏡筒に形成する必要がなく、その分、レンズ鏡筒の開口面積が小さく、レンズ鏡筒の内部への塵埃の侵入量を低減することができる。
【００２５】
加えて、光軸から第１の嵌合部までの距離が光軸から第２の嵌合部までの距離より大きくされているため、レンズ鏡筒を金型を一方向に引き抜いて離型して形成する場合における金型の離型性の向上を図ることができる。
【００２６】
請求項２に記載した発明にあっては、上記レンズ鏡筒の第１の嵌合部と第２の嵌合部との間に、第１の嵌合部間の間隔を第２の嵌合部間の間隔より大きくする段差面を形成したので、ヨークのレンズ鏡筒への挿入の開始直後において、ヨークが第１の嵌合部と接触することがなく、第１の嵌合部及び第２の嵌合部の幅を任意に設定することが可能であり、レンズ鏡筒の設計の自由度の向上を図ることができる。
【００２７】
請求項３に記載した発明にあっては、上記ヨークの上記挿入方向と反対側の端部に、上記厚み方向及び挿入方向にともに直交する方向へ突出された嵌合突部を設けたので、レンズ鏡筒に段差面を形成した場合においても、ヨークを複雑な形状にすることなく第１の嵌合部に対するヨークの良好な嵌合状態を確保することができる。
【００２８】
請求項４に記載した発明にあっては、上記可動レンズとしてズーミング用の変倍レンズを用いており、変倍レンズの移動距離が長くなりヨークの長さが長くなった場合であっても、ヨークの中間鏡筒に対するガタツキを防止することができる。
【００２９】
本発明レンズ鏡筒は、マグネットが取り付けられたヨークが光軸方向における一方から挿入されて嵌合状態で取り付けられると共に内部において可動レンズを保持するレンズ保持枠が光軸方向へ移動可能とされたレンズ鏡筒であって、上記光軸方向及びヨークの厚み方向に直交する方向に離隔してヨークを嵌合する一対の第１の嵌合部をレンズ鏡筒に設け、該第１の嵌合部よりヨークのレンズ鏡筒に対する挿入方向側に、上記光軸方向及びヨークの厚み方向に直交する方向に離隔してヨークを嵌合する一対の第２の嵌合部をレンズ鏡筒に設け、第１の嵌合部間の間隔を第２の嵌合部間の間隔より大きくし、上記光軸から各第１の嵌合部までの距離を上記光軸から各第２の嵌合部までの距離より大きくしたことを特徴とする。
【００３０】
従って、ヨークが挿入方向に離隔した部分である第１の嵌合部と第２の嵌合部とによって嵌合状態でレンズ鏡筒の内部に取り付けられるため、取付状態においてヨークのレンズ鏡筒に対するガタツキを防止することができ、高い耐衝撃性を確保することができる。
【００３１】
また、ヨークが一部品であるレンズ鏡筒のみによって保持されるため、レンズの光軸に対するチルト調整を阻害することがない。
【００３２】
さらに、ヨークがレンズ鏡筒に一方から挿入されてレンズ鏡筒の内部に取り付けられるため、ヨークを取り付けるための専用の開口部をレンズ鏡筒に形成する必要がなく、その分、レンズ鏡筒の開口面積が小さく、レンズ鏡筒の内部への塵埃の侵入量を低減することができる。
【００３３】
加えて、光軸から第１の嵌合部までの距離が光軸から第２の嵌合部までの距離より大きくされているため、レンズ鏡筒を金型を一方向に引き抜いて離型して形成する場合における金型の離型性の向上を図ることができる。
【００３４】
請求項６に記載した発明にあっては、上記レンズ鏡筒の第１の嵌合部と第２の嵌合部との間に、第１の嵌合部間の間隔を第２の嵌合部間の間隔より大きくする段差面を形成したので、ヨークのレンズ鏡筒への挿入の開始直後において、ヨークが第１の嵌合部と接触することがなく、第１の嵌合部及び第２の嵌合部の幅を任意に設定することが可能であり、レンズ鏡筒の設計の自由度の向上を図ることができる。
【００３５】
請求項７に記載した発明にあっては、内部においてズーミング用のレンズとして用いられた上記可動レンズが光軸方向へ移動可能とされており、変倍レンズの移動距離が長くなりヨークの長さが長くなった場合であっても、ヨークの中間鏡筒に対するガタツキを防止することができる。
【発明を実施するための最良の形態】
【００３６】
以下に、本発明撮像装置及びレンズ鏡筒を実施するための最良の形態を添付図面に従って説明する。以下に示す最良の形態は、本発明撮像装置をビデオカメラに適用し、本発明レンズ鏡筒をこのビデオカメラに用いられたレンズ鏡筒に適用したものである。尚、本発明の適用範囲はビデオカメラ又はこれに用いられたレンズ鏡筒に限られることはなく、本発明は、ビデオカメラの他、動画撮影又は静止画撮影の機能を有する各種の撮像装置又はこれらの撮像装置に用いられた各種のレンズ鏡筒に適用することができる。
【００３７】
撮像装置１（デジタルビデオカメラ）は、図１に示すように、撮像機能を有するカメラブロック２と、撮影された画像信号のアナログ−デジタル変換等の信号処理を行うカメラ信号処理部３と、画像信号の記録再生処理を行う画像処理部４と、撮影された画像等を表示する表示部５と、記録媒体１００に対する記録／再生を行う記録再生部６と、撮像装置１の全体を制御する中央演算処理装置７と、ユーザーによる操作入力を行うための入力操作部８と、カメラブロック２の各種のレンズの駆動を制御するレンズ駆動制御部９とを備えている。
【００３８】
カメラブロック２は、レンズ鏡筒１０、該レンズ鏡筒１０内に配置された各レンズ等の撮像光学系及びＣＣＤ（Charge Coupled Device）等の撮像素子１１等により構成される。
【００３９】
カメラ信号処理部３は、撮像素子１１からの出力信号（アナログ信号）のデジタル信号への変換、ノイズ除去、画質補正、輝度信号や色差信号への変換等の信号処理を行う。
【００４０】
画像処理部４は、所定の画像データーフォーマットに基づく画像信号の圧縮符号化、伸長復号化処理、解像度等のデーター仕様の変換処理等を行う。
【００４１】
記録媒体１００は、例えば、着脱可能な半導体メモリーである。
【００４２】
表示部５は、例えば、液晶ディスプレイである。
【００４３】
記録再生部６は、画像処理部４によって符号化された画像データーの記録媒体１００への書込や記録媒体１００に記録された画像データーの読出を行う。
【００４４】
中央演算処理装置７は、撮像装置１に設けられた各回路ブロックを制御する制御処理部であり、入力操作部８からの指示入力信号等に基づいて各回路ブロックを制御する。
【００４５】
入力操作部８は、例えば、シャッター操作を行うためのシャッターレリーズボタンや、動作モードを選択するための選択スイッチ等により構成され、ユーザーによる操作に応じた指示入力信号を中央演算処理装置７に対して出力する。
【００４６】
レンズ駆動制御部９は、中央演算処理装置７からの制御信号に基づいて、レンズ鏡筒１０の内部に配置された各レンズ、例えば、ズーミング用の後述する変倍レンズやフォーカシング用の後述するフォーカスレンズを駆動する図示しないモーター等を制御する。
【００４７】
以下に、撮像装置１の動作を簡単に説明する。
【００４８】
撮影の待機状態においては、中央演算処理装置７による制御の下で、カメラブロック２において撮影された画像信号が、カメラ信号処理部３を介して表示部５に出力され、カメラスルー画像として表示される。
【００４９】
入力操作部８からのズーミングのための指示入力信号が入力されると、中央演算処理装置７がレンズ駆動制御部９に制御信号を出力し、レンズ駆動制御部９の制御に基づいて、レンズ鏡筒１０に配置された変倍レンズが移動される。
【００５０】
フォーカシングは、例えば、シャッターレリーズボタンが半押しされた場合、又は、記録のために全押しされた場合等に、中央演算処理装置７からの制御信号に基づいてレンズ駆動制御部９がレンズ鏡筒１０内のフォーカスレンズを移動させることにより行われる。
【００５１】
入力操作部８からの指示入力信号によりカメラブロック２の図示しないシャッターが動作されると、画像信号がカメラ信号処理部３から画像処理部４に出力されて圧縮符号化処理され、所定のデーターフォーマットのデジタルデーターに変換される。変換されたデーターは記録再生部６に出力され、記録媒体１００に書き込まれる。
【００５２】
記録媒体１００に記録された画像データーを再生する場合は、入力操作部８による操作に応じて、記録再生部６により記録媒体１００から所定の画像データーが読み出され、画像処理部４で伸張復号化処理された後、再生画像信号が表示部５に出力される。これにより再生画像が表示される。
【００５３】
次に、カメラブロック２の構成例について説明する。
【００５４】
カメラブロック２はレンズ鏡筒１０に所要の各部が配置又は支持されて成り、レンズ鏡筒１０の内部には、撮像光学系を構成する各種のレンズ又はレンズ群（以下には、単に「レンズ」とする。）が配置されている。
【００５５】
レンズ鏡筒１０は前部鏡筒１２と後部鏡筒１３と両者の間に配置される中間鏡筒１４とを有している（図２参照）。
【００５６】
前部鏡筒１２はレンズ保持部１２ａと該レンズ保持部１２ａの外周部から張り出された被取付部１２ｂとから成り、レンズ保持部１２ａには第１群レンズとして対物レンズ１５が保持されている。前部鏡筒１２は取付ネジ１６、１６、１６によって中間鏡筒１４の前面に取り付けられる。
【００５７】
前部鏡筒１２の中間鏡筒１４への取付は、被取付部１２ａのネジ挿通孔を挿通された取付ネジ１６、１６、１６がそれぞれバネワッシャ１７、１７、１７に挿通されて中間鏡筒１４の前面部に螺合されることにより行われる。従って、バネワッシャ１７、１７、１７の変位量分、取付ネジ１６、１６、１６の中間鏡筒１４への締結具合を変更することが可能であり、取付ネジ１６、１６、１６の中間鏡筒１４への締結具合を変更することにより、中間鏡筒１４に対する前部鏡筒１２の取付角度を調整して対物レンズ１５の光軸に対するチルト調整を行うことができる。
【００５８】
前部鏡筒１２の後面には図示しない２つの軸取付部が設けられている。
【００５９】
後部鏡筒１３は筒部１３ａと該筒部１３ａの外周部から張り出された被取付部１３ｂとから成り、筒部１３ａには光透過孔１３ｃが形成されている（図２参照）。
【００６０】
後部鏡筒１３の前面には図示しない２つの軸取付部が設けられている。
【００６１】
後部鏡筒１３は、例えば、ネジ止めによって中間鏡筒１４の後面に取り付けられる。
【００６２】
中間鏡筒１４は前後に長い筒状に形成され、その内部における後端寄りの位置に第３群レンズとしてレンズ１８が保持されている（図１参照）。中間鏡筒１４の前端部には前側取付部１９が設けられ、後端部には後側取付部２０が設けられている（図２参照）。前側取付部１９には前部鏡筒１２の被取付部１２ｂが取り付けられ、後側取付部２０には後部鏡筒１３の被取付部１３ｂが取り付けられる。
【００６３】
中間鏡筒１４の内部には、例えば、その右端部の前端部に一対の第１の嵌合部２１、２２が設けられ、右端部の後端寄りの位置に一対の第２の嵌合部２３、２４が設けられている（図３乃至図５参照）。
【００６４】
第１の嵌合部２１は上方側に設けられ下方に開口された凹状に形成されている（図６参照）。従って、第１の嵌合部２１は下方を向く天面２１ａと該天面２１ａの左右両側縁に連続し対向して位置される外側面２１ｂ、内側面２１ｃとによって形成されている。天面２１ａには前後に延び下方へ突出された第１の嵌合突条２５が設けられ、外側面２１ｂには前後に延び内側面２１ｃ側へ突出された第２の嵌合突条２６が設けられている。
【００６５】
第１の嵌合突条２５と第２の嵌合突条２６は、それぞれ案内部２５ａ、２６ａと圧接部２５ｂ、２６ｂとによって構成されている（図４参照）。案内部２５ａ、２６ａは後方へ行くに従って下方へ変位する傾斜部として形成され、圧接部２５ｂ、２６ｂは案内部２５ａ、２６ａの後端に連続し横断面形状が下方へ凸の略半円状に形成されている。
【００６６】
第１の嵌合部２２は下方側に設けられ上方に開口された凹状に形成されている（図６参照）。従って、第１の嵌合部２２は上方を向く底面２２ａと該底面２２ａの左右両側縁に連続し対向して位置される外側面２２ｂ、内側面２２ｃとによって形成されている。底面２２ａには前後に延び上方へ突出された第１の嵌合突条２７が設けられ、外側面２２ｂには前後に延び内側面２２ｃ側へ突出された第２の嵌合突条２８が設けられている。
【００６７】
第１の嵌合突条２７と第２の嵌合突条２８は、それぞれ案内部２７ａ、２８ａと圧接部２７ｂ、２８ｂとによって構成されている（図４参照）。案内部２７ａ、２８ａは後方へ行くに従って上方へ変位する傾斜部として形成され、圧接部２７ｂ、２８ｂは案内部２７ａ、２８ａの後端に連続し横断面形状が上方へ凸の略半円状に形成されている。
【００６８】
第２の嵌合部２３は上方側に設けられ下方に開口された凹状に形成されている（図７参照）。従って、第２の嵌合部２３は下方を向く天面２３ａと該天面２３ａの左右両側縁に連続し対向して位置される外側面２３ｂ、内側面２３ｃとによって形成されている。天面２３ａには前後に延び下方へ突出された第１の嵌合突条２９が設けられ、外側面２３ｂには前後に延び内側面２３ｃ側へ突出された第２の嵌合突条３０が設けられている。
【００６９】
第１の嵌合突条２９と第２の嵌合突条３０は、それぞれ案内部２９ａ、３０ａと圧接部２９ｂ、３０ｂとによって構成されている（図４参照）。案内部２９ａ、３０ａは後方へ行くに従って下方へ変位する傾斜部として形成され、圧接部２９ｂ、３０ｂは案内部２９ａ、３０ａの後端に連続し横断面形状が下方へ凸の略半円状に形成されている。
【００７０】
第２の嵌合部２４は下方側に設けられ上方に開口された凹状に形成されている（図７参照）。従って、第１の嵌合部２４は上方を向く底面２４ａと該底面２４ａの左右両側縁に連続し対向して位置される外側面２４ｂ、内側面２４ｃとによって形成されている。底面２４ａには前後に延び上方へ突出された第１の嵌合突条３１が設けられ、外側面２４ｂには前後に延び内側面２４ｃ側へ突出された第２の嵌合突条３２が設けられている。
【００７１】
第１の嵌合突条３１と第２の嵌合突条３２は、それぞれ案内部３１ａ、３２ａと圧接部３１ｂ、３２ｂとによって構成されている（図４参照）。案内部３１ａ、３２ａは後方へ行くに従って上方へ変位する傾斜部として形成され、圧接部３１ｂ、３２ｂは案内部３１ａ、３２ａの後端に連続し横断面形状が上方へ凸の略半円状に形成されている。
【００７２】
第１の嵌合部２１の後端と第２の嵌合部２２の後端には、それぞれ前方を向く段差面３３Ａ、３３Ｂが形成されている（図４参照）。従って、第１の嵌合部２１と第２の嵌合部２２はそれぞれ段差面３３Ａ、３３Ｂの前側に位置されている。
【００７３】
第２の嵌合部２３、２４の後端には、それぞれ前方を向く段差部が形成され、該段差部が突き当て面３４、３５として形成されている（図４参照）。従って、第２の嵌合部２３、２４はそれぞれ突き当て面３４、３５の前側に位置されている。
【００７４】
中間鏡筒１４は樹脂材料を用いた射出成形により形成され、樹脂の射出冷却後に図示しない金型を一方向に引き抜いて離型することにより、中間鏡筒１４に内部空間１４ａ及び前端に位置する挿入用開口１４ｂが形成される。従って、金型の引抜時の良好な離型性を確保するために、図４に示すように、中間鏡筒１４の内周面１４ｃは前方へ行くに従って外方へ変位するように緩やかに傾斜され、第１の嵌合部２１、２２の第１の嵌合突条２５、２７の圧接部２５ｂ、２７ｂ間の間隔Ｌ１は第２の嵌合部２３、２４の第１の嵌合突条２９、３１の圧接部２９ｂ、３１ｂ間の間隔Ｌ２より大きくされている。尚、圧接部２９ｂ、３１ｂ間の間隔Ｌ２は段差面３３Ａ、３３Ｂの上下方向における長さの一部を含むが、Ｌ１から段差面３３Ａ、３３Ｂの上下方向における長さの一部を差し引いた長さＬ１’に関してもＬ２より大きくされている。
【００７５】
また、図４に示す光軸Ｐから第１の嵌合部２１、２２の天面２１ａ、底面２２ａまでの距離は、光軸Ｐから第２の嵌合部２３、２４の天面２３ａ、底面２４ａまでの距離より大きくされている。
【００７６】
中間鏡筒１４の後端寄りの位置には円形の開口を有する保持部１４ｄが設けられている（図３参照）。中間鏡筒１４の保持部１４ｄには第３群レンズである上記レンズ１８が保持され、その後側に図示しないアイリス機構が配置されている。中間鏡筒１４の上面部には、センサー取付部１４ｅが設けられ、該センサー取付部１４ｅには中間鏡筒１４の内部に連通された配置用開口１４ｆが形成されている（図２参照）。
【００７７】
中間鏡筒１４のセンサー取付部１４ｅには、その上方側からセンサー取付板３６を介して磁気センサー３７が取り付けられる。磁気センサー３７は、例えば、ネジ止めによってセンサー取付部１４ｅに取り付けられ、取り付けられた状態において一部が配置用開口１４ｆから中間鏡筒１４の内部へ突出される（図８参照）。
【００７８】
中間鏡筒１４の内部にはガイド軸３８、３８を介してレンズ保持枠３９が光軸方向へ移動自在に支持されている（図２参照）。
【００７９】
レンズ保持枠３９はレンズ保持部４０と該レンズ保持部４０の外周部から張り出されたフランジ部４１と該フランジ部４１の上端部から後方へ突出された軸受部４２とから成る。フランジ部４１の外周部には摺動用切欠４１ａが形成され、軸受部４２の真下の位置には縦長の挿通孔４１ｂが形成されている。
【００８０】
レンズ保持部４０には第２群レンズとしてズーミング用の変倍レンズ４３が保持されている。
【００８１】
フランジ部４１の後面には、挿通孔４１ｂを取り囲む位置に縦長の略角筒状を為す駆動コイル４４が取り付けられる。
【００８２】
軸受部４２の上面にはスケール取付部４２ａが形成され、該スケール取付部４２ａには前後に長い磁気スケール４５が取り付けられる。
【００８３】
ガイド軸３８、３８は、中間鏡筒１４の前後にそれぞれ前部鏡筒１２と後部鏡筒１３が取り付けられた状態において、軸方向における両端部がそれぞれ前部鏡筒１２の軸取付部と後部鏡筒１３の軸取付部に取り付けられる。
【００８４】
ガイド軸３８、３８にはそれぞれレンズ保持枠３９の軸受部４２と摺動用切欠４１ａが摺動自在に支持され、変倍レンズ４３を保持するレンズ保持枠３９がガイド軸３８、３８に案内されて光軸方向へ移動可能とされる。レンズ保持枠３９が中間鏡筒１４の内部空間１４ａで光軸方向へ移動可能とされた状態においては、軸受部４２に取り付けられた磁気スケール４５が磁気センサー３７に対向して位置される（図８参照）。
【００８５】
中間鏡筒１４の内部にはヨーク４６及びマグネット４７が配置される。
【００８６】
ヨーク４６は、図２、図８及び図９に示すように、水平断面形状で見て前方に開口したＵ字状に形成されたヨーク本体４８と、該ヨーク本体４８の前方の開口を閉塞するヨークブリッジ４９とから成り、該ヨークブリッジ４９はヨーク本体４８の前端部に取り付けられる。ヨーク本体４８は前後に長く対向して位置される内面部５０、外面部５１と該内面部５０の後端部と外面部５１の後端部を連結する後部５２とから成る。
【００８７】
ヨーク本体４８の外面部５１には、その前端部に上方又は下方へ突出された嵌合突部５１ａ、５１ｂが設けられている（図１０参照）。嵌合突部５１ａの上方への突出量は嵌合突部５１ｂの下方への突出量より大きくされている。
【００８８】
ヨーク本体４８の外面部５１には、その後端寄りの位置の上下両端部にそれぞれ後方を向く規制面５１ｃ、５１ｄが形成されている。外面部５１は、嵌合突部５１ａの後端から規制面５１ｃ、５１ｄまでの上下方向における幅が一定とされている。ヨーク本体４８の規制面５１ｃ、５１ｄの直ぐ前側の部分は、それぞれ圧入部５１ｅ、５１ｆとして設けられている。
【００８９】
マグネット４７は前後に長い板状に形成され、ヨーク本体４８の外面部５１の内面に取り付けられている。
【００９０】
マグネット４７が取り付けられたヨーク４６は中間鏡筒１４の挿入用開口１４ｂから内部空間１４ａに挿入されて中間鏡筒１４に嵌合状態で取り付けられる。
【００９１】
ヨーク４６が挿入用開口１４ｂから内部空間１４ａに挿入された開始直後は、上記のように、第１の嵌合部２１、２２の第１の嵌合突条２５、２７の圧接部２５ｂ、２７ｂ間の間隔Ｌ１が第２の嵌合部２３、２４の第１の嵌合突条２９、３１の圧接部２９ｂ、３１ｂ間の間隔Ｌ２より大きくされているため、外面部５１は第１の嵌合部２１、２２に接触しない。従って、ヨーク４６の中間鏡筒１４への挿入を円滑に行うことができる。
【００９２】
ヨーク４６が挿入用開口１４ｂから内部空間１４ａに挿入されると、外面部５１の圧入部５１ｅ、５１ｆの上下両面が、それぞれ第２の嵌合部２３、２４に設けられた第１の嵌合突条２９、３１及び第２の嵌合突条３０、３２の案内部２９ａ、３１ａ、３０ａ、３２ａに案内されて、圧入部５１ｅ、５１ｆが第２の嵌合部２３、２４にそれぞれ挿入される。
【００９３】
同時に、外面部５１の嵌合突部５１ａ、５１ｂの上下両面が、それぞれ第１の嵌合部２１、２２に設けられた第１の嵌合突条２５、２７及び第２の嵌合突条２６、２８の案内部２５ａ、２７ａ、２６ａ、２８ａに案内されて、嵌合突部５１ａ、５１ｂがそれぞれ第１の嵌合部２１、２２に挿入される。
【００９４】
ヨーク４６は、規制面５１ｃ、５１ｄがそれぞれ突き当て面３４、３５に接する位置まで挿入される（図１０参照）。
【００９５】
上記のように、圧入部５１ｅ、５１ｆが第２の嵌合部２３、２４にそれぞれ挿入されることにより、図７に示すように、圧入部５１ｅが第２の嵌合部２３の第１の嵌合突条２９の圧接部２９ｂと第２の嵌合突条３０の圧接部３０ｂと内側面２３ｃとによって押さえられて嵌合され、圧入部５１ｆが第２の嵌合部２４の第１の嵌合突条３１の圧接部３１ｂと第２の嵌合突条３２の圧接部３２ｂと内側面２４ｃとによって押さえられて嵌合される。
【００９６】
また、嵌合突部５１ａ、５１ｂが第１の嵌合部２１、２２にそれぞれ挿入されることにより、図６に示すように、嵌合突部５１ａが第１の嵌合部２１の第１の嵌合突条２５の圧接部２５ｂと第２の嵌合突条２６の圧接部２６ｂと内側面２１ｃとによって押さえられて嵌合され、嵌合突部５１ｂが第１の嵌合部２２の第１の嵌合突条２７の圧接部２７ｂと第２の嵌合突条２８の圧接部２８ｂと内側面２２ｃとによって押さえられて嵌合される。
【００９７】
上記のように、圧入部５１ｅ、５１ｆがそれぞれ第２の嵌合部２３、２４に嵌合され、嵌合突部５１ａ、５１ｂがそれぞれ第１の嵌合部２１、２２に嵌合されることにより、中間鏡筒１４の内部にマグネット４７が取り付けられたヨーク４６が固定される。尚、ヨーク４６は、図８に示すように、ヨーク本体４８の内面部５０がレンズ保持枠３９の挿通孔４１ｂ及び駆動コイル４４を挿通された状態で、ヨークブリッジ４９がヨーク本体４８に取り付けられる。
【００９８】
上記ガイド軸３８、３８には、その後端側に、フォーカスレンズとして機能する可動レンズを保持する図示しない保持枠が光軸方向へ移動自在に支持されている。
【００９９】
後側鏡筒１３の後端部には上記撮像素子１１が配置されている。
【０１００】
以上のように構成された撮像装置１において、駆動コイル４４に駆動電流が供給されると、供給された電流の方向とマグネット４７の磁極との関係において電流の方向に応じた推進力がレンズ保持枠３９に付与され、該レンズ保持枠３９がガイド軸３８、３８に案内されて変倍レンズ４３が光軸方向へ移動されてズーム機能が発揮される。このときレンズ保持枠３９に取り付けられた磁気スケール４５に対向する磁気センサー３７によって変倍レンズ４３の光軸方向における位置が検出される。
【０１０１】
以上に記載した通り、撮像装置１にあっては、中間鏡筒１４に対するヨーク４６の挿入方向に離隔して第１の嵌合部２１、２２と第２の嵌合部２３、２４とが設けられている。
【０１０２】
従って、ヨーク４６が挿入方向に離隔した部分である第１の嵌合部２１、２２と第２の嵌合部２３、２４とによって嵌合状態で中間鏡筒１４の内部に取り付けられるため、取付状態においてヨーク４６の中間鏡筒１４に対するガタツキを防止することができ、高い耐衝撃性を確保することができる。
【０１０３】
また、ヨーク４６が一部品である中間鏡筒１４のみによって保持されるため、中間鏡筒１４に対する前部鏡筒１２の取付角度を調整して行う対物レンズ１５の光軸に対するチルト調整を阻害することがない。
【０１０４】
さらに、ヨーク４６が中間鏡筒１４の挿入用開口１４ｂから挿入されて中間鏡筒１４の内部に取り付けられるため、中間鏡筒１４にガイド軸３８、３８やレンズ保持枠３９を挿入するための挿入用開口１４ｂの他にヨーク４６を取り付けるための専用の開口部を形成する必要がなく、その分、中間鏡筒１４の開口面積が小さく、中間鏡筒１４の内部への塵埃の侵入量を低減することができる。
【０１０５】
中間鏡筒１４にあっては、第１の嵌合部２１、２２の第１の嵌合突条２５、２７の圧接部２５ｂ、２７ｂ間の間隔Ｌ１を第２の嵌合部２３、２４の第１の嵌合突条２９、３１の圧接部２９ｂ、３１ｂ間の間隔Ｌ２より大きくし、光軸Ｐから第１の嵌合部２１、２２の天面２１ａ、底面２２ａまでの距離は、光軸Ｐから第２の嵌合部２３、２４の天面２３ａ、底面２４ａまでの距離より大きくされているため、中間鏡筒１４を金型を一方向（上記挿入方向と反対方向）に引き抜いて離型して形成する場合における金型の離型性の向上を図ることができる。
【０１０６】
また、中間鏡筒１４の第１の嵌合部２１と第２の嵌合部２３との間に段差面３３Ａを形成し、第１の嵌合部２２と第２の嵌合部２４との間に段差面３３Ｂを形成したので、ヨーク４６の中間鏡筒１４への挿入の開始直後において、ヨーク４６が第１の嵌合部２１、２２と接触することがなく、第１の嵌合部２１、２２及び第２の嵌合部２３、２４の左右の溝幅を任意に設定することが可能であり、中間鏡筒１４の設計の自由度の向上を図ることができる。例えば、第１の嵌合部２１、２２の溝幅と第２の嵌合部２３、２４の溝幅を同じにしてもよく、また、第１の嵌合部２１、２２の溝幅と第２の嵌合部２３、２４の溝幅を異なるようにしてもよい。第１の嵌合部２１、２２の溝幅と第２の嵌合部２３、２４の溝幅を異なるようにした場合には、これらの溝幅に合わせてヨーク４６の外側面５１の厚みを設定することが必要である。
【０１０７】
さらに、ヨーク４６に嵌合突部５１ａ、５１ｂを設けているため、上記のように中間鏡筒１４に段差面３３Ａ、３３Ｂを形成した場合においても、ヨーク４６を複雑な形状にすることなく第１の嵌合部２１、２２に対するヨーク４６の良好な嵌合状態を確保することができる。
【０１０８】
加えて、可動レンズとして上記のようなズーミング用の変倍レンズ４３を用いた場合には、一般に、変倍レンズ４３の移動距離が長くなりヨーク４６の長さも長くする必要があるが、変倍レンズ４３の移動に必要とされる長いヨーク４６を上記のように挿入方向に離隔して設けられた第１の嵌合部２１、２２と第２の嵌合部２３、２４とによって保持することにより、ヨーク４６の中間鏡筒１４に対するガタツキを防止することができる。
【０１０９】
尚、上記に示した上下前後左右の方向は説明の便宜上のものであり、これらの方向に限定されることはない。
【０１１０】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１１１】
【図１】図２乃至図１０と共に本発明の最良の形態を示すものであり、本図は、撮像装置の基本構成を示す概念図である。
【図２】カメラブロックの一部を示す分解斜視図である。
【図３】中間鏡筒の一部を示す拡大正面図である。
【図４】図３のＩＶ−ＩＶ線に沿う断面図である。
【図５】図３のＶ−Ｖ線に沿う断面図である。
【図６】ヨークが中間鏡筒に取り付けられた状態を第１の嵌合部を切断して示す拡大断面図である。
【図７】ヨークが中間鏡筒に取り付けられた状態を第２の嵌合部を切断して示す拡大断面図である。
【図８】中間鏡筒への各部の配置状態を示す断面図である。
【図９】レンズ鏡筒への各部の配置状態を図８とは異なる位置で切断して示す断面図である。
【図１０】ヨークが中間鏡筒に取り付けられた状態を図４と同じ切断位置で示す断面図である。
【符号の説明】
【０１１２】
１…撮像装置、１０…レンズ鏡筒、２１…第１の嵌合部、２２…第１の嵌合部、２３…第２の嵌合部、２４…第２の嵌合部、３３Ａ…段差面、３３Ｂ…段差面、３９…レンズ保持枠、４３…変倍レンズ（可動レンズ）、４４…駆動コイル、４６…ヨーク、４７…マグネット、５１ａ…嵌合突部、５１ｂ…嵌合突部
【図１】
2006208569.tif 000003
【図２】
2006208569.tif 000004
【図３】
2006208569.tif 000005
【図４】
2006208569.tif 000006
【図５】
2006208569.tif 000007
【図６】
2006208569.tif 000008
【図７】
2006208569.tif 000009
【図８】
2006208569.tif 000010
【図９】
2006208569.tif 000011
【図１０】
2006208569.tif 000012